(57)【要約】【課題】携帯機器には部品等を搭載するプリント基板が実装されており、このプリント基板には外部機器との接続するための携帯機器側の接続コネクタも実装されている。この携帯機器側接続用コネクタに外部機器接続用コネクタを接続して使用する場合、外部機器接続用コネクタから携帯機器側接続コネクタに外力が加わり、携帯機側接続用コネクタの半田付け部に破損を生じることがある。【解決手段】フレキシブルプリント基板内装のプリント基板を使用して、携帯機器用の部品等を搭載するプリント基板と携帯機器側接続用コネクタを搭載するプリント基板とをフレキシブルプリント基板を介して分離して接続することにより携帯機器側接続コネクタへ外部機器接続用コネクタを接続して使用した場合に外部機器接続用コネクタから受ける外力をフレキシブルプリント基板により吸収して携帯機器側の接続用コネクタの半田付け部の破損を防止する。【選択図】  図１
2010129377.tif 000002
【特許請求の範囲】
【請求項１】
携帯機器に使用されるプリント基板において、前記プリント基板にはフレキシブルプリント基板が内装され、前記プリント基板には携帯機器用の部品等が搭載され半田付けされ、前記プリント基板には外部インターフェイスコネクタが搭載され半田付けされ、前記携帯機器用の部品等が搭載され半田付けされたプリント基板と前記外部インターフェイスコネクタが搭載され半田付けされたプリント基板とは前記フレキシブルプリント基板を介して分離され接続されることにより前記外部インターフェイスコネクタに外部から加わる外力を前記フレキシブル基板で吸収して前記外部インターフェイスコネクタのプリント基板への半田付け部を保護することを特徴とするコネクタ保護機構。
【請求項２】
携帯機器に使用されるプリント基板において、前記プリント基板にはフレキシブルプリント基板が内装され、前記プリント基板には携帯機器用の部品等が搭載され半田付けされ、前記内装フレキシブルプリント基板の一部を前記プリント基板の外部に露出して、その露出したフレキシブルプリント基板に外部インターフェイスコネクタを搭載して半田付けして、前記プリント基板と前記外部インターフェイスコネクタを前記フレキシブル基板を介して接続することにより前記外部インターフェイスコネクタに外部から加わる外力を前記フレキシブル基板で吸収して前記外部インターフェイスコネクタのプリント基板への半田付け部を保護することを特徴とするコネクタ保護機構。
【発明の詳細な説明】
【技術分野】
【０００１】
本発明は、携帯機器に内蔵する外部インターフェイスコネクタの保護に関するものである。
【背景技術】
【０００２】
携帯機器には、外部機器との接続コネクタや充電コネクタといった各種の外部インターフェイスコネクタが内蔵されている。
従来の携帯機器の外部インターフェイスコネクタを図７で説明すると、この外部インターフェイスコネクタ２０はプリント基板１０に直接半田付けを行い、プリント基板１０を携帯機器筐体に固定する構成になっている。また、携帯機器筐体からは外部インターフェイスコネクタ２０の動きを規制するための保持機構３０が配置されている。
【０００３】
前記のように構成された外部インターフェイスコネクタ２０に接続プラグ４０を挿入した状態を図８に示す。図８に示すように、前記接続プラグ４０に落下、衝撃などの外力４１が加わった場合、前記保持機構３０により前記外部インターフェイスコネクタ２０の動きが規制され、外力４１によるコネクタ破損の可能性を軽減できるとされていた。
【０００４】
【特許文献１】特開平９−１６１８８９
【発明の開示】
【発明が解決しようとする課題】
【０００５】
しかしながら、前記プリント基板１０には前記外部インターフェイスコネクタ２０以外にも様々な部品が実装されている。そのため前記保持機構３０により規制された前記外部インターフェイスコネクタ２０の動きと、その他の部品を搭載してその部品の影響を受ける前記プリント基板１０全体の動きは一致しない。このため、前記プリント基板１０と前記外部インターフェイスコネクタ２０の接合部に当たる半田付け部２１に負荷がかかり破損を引き起こす。
【０００６】
本発明はこのような問題点を解決するためのものであり、携帯機器の外部インターフェイスコネクタ２０に接続プラグ４０が挿入された状態で外力４１が加わった際に、プリント基板１０の動きと前記外部インターフェイスコネクタ２０の動きが一致しないことで発生する前記外部インターフェイスコネクタ２０の半田付け部２１への負荷を軽減し、外部インターフェイスコネクタ半田付け部の破損を防止することを目的とする。
【課題を解決するための手段】
【０００７】
携帯機器に使用されるプリント基板において、前記プリント基板にはフレキシブルプリント基板が内装され、前記プリント基板には携帯機器用の部品等が搭載され半田付けされ、前記プリント基板には外部インターフェイスコネクタが搭載され半田付けされ、前記携帯機器用の部品等が搭載され半田付けされたプリント基板と前記外部インターフェイスコネクタが搭載され半田付けされたプリント基板とは前記フレキシブルプリント基板を介して分離され接続されることにより前記外部インターフェイスコネクタに外部から加わる外力を前記フレキシブル基板で吸収して前記外部インターフェイスコネクタのプリント基板への半田付け部を保護する。
【０００８】
携帯機器に使用されるプリント基板において、前記プリント基板にはフレキシブルプリント基板が内装され、前記プリント基板には携帯機器用の部品等が搭載され半田付けされ、前記内装フレキシブルプリント基板の一部を前記プリント基板の外部に露出して、その露出したフレキシブルプリント基板に外部インターフェイスコネクタを搭載して半田付けして、前記プリント基板と前記外部インターフェイスコネクタを前記フレキシブル基板を介して接続することにより前記外部インターフェイスコネクタに外部から加わる外力を前記フレキシブル基板で吸収して前記外部インターフェイスコネクタのプリント基板への半田付け部を保護する。
【発明の効果】
【０００９】
本発明によれば、図１に示すように、外部インターフェイスコネクタ実装用プリント基板１１とそれ以外の部品が実装されているプリント基板１３とをフレキシブルプリント基板１２を介して分離し、前記外部インターフェイスコネクタ実装用プリント基板１１に実装された外部インターフェイスコネクタ２０は携帯機器筐体の保持機構３０により保持する機構を採用することにより、接続プラグ４０を介して加えられた外力４１は前記保持機構３０により携帯機器筐体で受け止められる。
【００１０】
前記保持機構３０で保持された前記外部インターフェイスコネクタ２０と、前記プリント基板１３の動きの不一致は前記フレキシブルプリント基板１２で吸収し、外部インターフェイスコネクタ２０と外部インターフェイスコネクタ実装用プリント基板１１の動きを一致させることで半田付け部２１に負荷を発生させず、コネクタ破損を防止できる。
【実施例】
【００１１】
以下、本発明の実施の例について詳細に説明する。図１は本発明の実施例１を示したもので、プリント基板13にはフレキシブルプリント基板が内装され、外部インターフェイスコネクタ実装用プリント基板１１とそれ以外の部位のプリント基板１３とをフレキシブルプリント基板１２を介して分離している。前記外部インターフェイスコネクタ実装用プリント基板１１に実装された外部インターフェイスコネクタ２０は携帯機器筐体の保持機構３０により保持される。外部インターフェイスコネクタ２０に装着された接続プラグ４０を介して加えられた外力４１は前記保持機構３０により携帯機器筐体に伝えられ、携帯機器筐体で受け止められる。
【００１２】
前記保持機構３０で保持された前記外部インターフェイスコネクタ２０と、前記プリント基板１３の動きの不一致は前記フレキシブルプリント基板１２で吸収し、外部インターフェイスコネクタ２０と外部インターフェイスコネクタ実装用プリント基板１１の動きを一致させることで半田付け部２１に負荷を発生させず、コネクタ破損を防止する構造になっている。
【００１３】
前記実施例1では実施例２  図２（ａ）に示すように２つの外部インターフェイスコネクタ実装用プリント基板１１の間にフレキシブルプリント基板１２を１つ配置したが、図２（ｂ）、図２（ｃ）に示すように複数のフレキシブルプリント基板１２を配置してもよい。また、実施例３  図３、実施例４  図４に示すように１つの外部インターフェイスコネクタ実装用プリント基板１１の場合もフレキシブルプリント基板１２を１本、あるいは実施例５  図５、実施例６  図６に示すようにフレキシブルプリント基板１２を複数本配置し、外部インターフェイスコネクタ実装用プリント基板１１を分離してもよい。
【００１４】
また、前記実施例では外部インターフェイスコネクタ実装プリント基板１１を、前記プリント基板１3と同様なプリント基板で形成したが、外部インターフェイスコネクタ実装用プリント基板１１をフレキシブルプリント基板で形成し、補強板や補強金具等を設けて補強してもよい。
なお、本発明は、コードレス電話や携帯電話、ＰＨＳ、スマートフォン等の電話機、小型の音響機器や映像機器等のオーディオビジュアル（ＡＶ）機器、小型のパーソナルコンピュータや携帯ゲーム機器、ＰＤＡ等の情報機器など、任意の携帯機器に適用可能である。
【図面の簡単な説明】
【００１５】
【図１】本発明の実施例１
【図２】本発明の実施例２
【図３】本発明の実施例３
【図４】本発明の実施例４
【図５】本発明の実施例５
【図６】本発明の実施例６
【図７】従来のコネクタ保護機構
【図８】従来のコネクタ保護機構に接続プラグを挿した図
【符号の説明】
【００１６】
１０  プリント基板
１１  外部インターフェイスコネクタを実装するプリント基板
１２  プリント基板に内装されるフレキシブルプリント基板
１３  フレキシブル基板を内装するプリント基板
２０  外部インターフェイスコネクタ
２１  外部インターフェイスコネクタの半田付け部
３０  携帯機器筐体からの保持機構
４０  接続プラグ
４１  接続プラグに加わる外力
【図１】
2010129377.tif 000003
【図２】
2010129377.tif 000004
【図３】
2010129377.tif 000005
【図４】
2010129377.tif 000006
【図５】
2010129377.tif 000007
【図６】
2010129377.tif 000008
【図７】
2010129377.tif 000009
【図８】
2010129377.tif 000010